(57)【要約】【課題】  一般家庭において手軽に模様替えすることのできる敷設部材を提供する。【解決手段】  畳（敷設部材）１を、マット状の単位畳（単位敷設部材）２，３を、表面の態様を異ならせて複数枚、入れ替え可能に積層して成るものとし、それによって、その積層した単位畳２，３を上下に入れ替えることにより、単位畳２，３の態様の異なる表面が現出するから、積層した単位畳２，３を上下に入れ替えるだけの手軽さで、模様替えをすることができる。【選択図】  図１
2006226027.tif 000002
【特許請求の範囲】
【請求項１】
マット状の単位敷設部材を、表面の態様を異ならせて複数枚、入れ替え可能に積層して成ることを特徴とする敷設部材。
【請求項２】
複数枚の単位敷設部材の層間に、上層の単位敷設部材から下層の単位敷設部材の表面に対する保護層を有することを特徴とする請求項１記載の敷設部材。
【請求項３】
複数枚の単位敷設部材の層間に、上層の単位敷設部材から下層の単位敷設部材の表面に対する滑り止め部を有することを特徴とする請求項１記載の敷設部材。
【発明の詳細な説明】
【技術分野】
【０００１】
本発明は、畳やマット等の敷設部材に関する。
【背景技術】
【０００２】
敷設部材、特に畳においては、近年、縁無し畳や、カラー畳、デニム畳など、新しい種類の畳が種々供されている。又、畳に対する一般家庭のニーズも多様化しており、一旦敷き込んだ畳も、それを替えることで模様替えする要望が一般家庭においてある。
【発明の開示】
【発明が解決しようとする課題】
【０００３】
しかしながら、従来の、一旦敷き込んだ畳を替えるには、畳専門店に依頼して異なる畳を新たに作製し、交換してもらうという必要があり、一般家庭において手軽に模様替えすることはできなかった。
【０００４】
本発明は上述の事情に鑑みてなされたものであり、従ってその目的は、一般家庭において手軽に模様替えすることのできる敷設部材を提供するにある。
【課題を解決するための手段】
【０００５】
上記目的を達成するために、本発明の敷設部材は、マット状の単位敷設部材を、表面の態様を異ならせて複数枚、入れ替え可能に積層して成ることを特徴とする（請求項１の発明）。
【発明の効果】
【０００６】
上記手段によれば、積層した単位敷設部材を上下に入れ替えることにより、単位敷設部材の態様の異なる表面が現出する。従って、積層した単位敷設部材を上下に入れ替えるだけの手軽さで、模様替えをすることができる。
【発明を実施するための最良の形態】
【０００７】
以下、本発明の第１実施例（第１の実施形態）につき、図１ないし図８を参照して説明する。
まず、図４には、敷設部材の一例として、畳１を示しており、この畳１は、図１にも示すように、複数枚、例えば２枚のマット状を成す単位敷設部材である単位畳２，３を入れ替え可能に積層して成っている。
【０００８】
上記単位畳２は、図２に示すように、芯材である畳床４の表面に、表面材である畳表５を装着して成るもので、一方、単位畳３も、図３に示すように、芯材である畳床６の表面に、表面材である畳表７を装着して成るものであり、これらは、畳表５と畳表７を異ならせることにより、表面の態様を異ならせている。その違いは、畳表５が例えば通常の藺草（いぐさ）の乾燥茎から織成したものであるのに対して、畳表７は、色が異なるもの、材質が例えば麻やデニムやクッションシートなどに異なるもの、織り方が異なるものなどである。
【０００９】
又、それらの単位畳２，３の層間には、保護層８を設けている。この保護層８は、それより下層の単位畳の表面に対するもので、具体的には、この場合、畳床４，６の各下面全域に施した例えば保護加工９，１０によるものであり、図示の単位畳２を上層に、単位畳３を下層に積層した状況では、単位畳２の下面の保護加工９の部分が保護層８となり、単位畳３を上層に、単位畳２を下層に積層変えした場合には、単位畳３の下面の保護加工１０の部分が保護層８となる。
【００１０】
なお、保護層８は、畳床４，６の各下面に上述の保護加工９，１０を施すのに代えて、保護シートを貼着するものであっても良い。又、それらの保護加工９，１０又は保護シートには、クッション性を持たせると良い。
【００１１】
そのほか、単位畳２，３は、各下面を平らにすると共に、大きさや厚さを等しくしており（厚さは、通常の畳の５５〜６０〔ｍｍ〕よりも薄い例えば１０〜３０〔ｍｍ〕としている）、又、それらを畳床４，６に対する畳表５，７及び保護加工９，１０の部分又は保護シートの接着により精度良く且つ安価に実現していて、更に、単位畳２，３には、図示しないが取手を付設し、加えて、配置を表す目印を裏面に付すようにしている。加えて、単位畳２，３は、その形状を、この場合、正方形としている。
【００１２】
次に、上記構成のものの用法を述べる。
図５は、部屋１１の床面を、すべて単位畳２（畳表５）を上にした畳１を敷き詰めて構成した状態を示している。
これに対して、図６は、部屋１１の床面を、すべて単位畳３（畳表７）を上にした畳１を敷き詰めて構成した状態を示している。
又、図７及び図８は、部屋１１の床面を、単位畳２（畳表５）を上にした畳１と単位畳３（畳表７）を上にした畳１を、異なる組み合わせで、敷き詰めて構成した状態を示している。
【００１３】
これらをなすのに、本構成のものの場合には、畳１の単位畳２と単位畳３の上下を入れ替えるだけで良く、それによって、単位畳２，３の態様の異なる表面（畳表５，７）がそれぞれに現出するから、従来の、畳専門店に依頼して異なる畳を新たに作製し、交換してもらっていたのに比して、一般家庭において手軽に模様替えすることができる。
【００１４】
特に、畳を使用する和室は、従来、使い方よって、居間、客間、寝室、趣味の部屋など、色々に使用できるが、しかし、それはあくまで使い方であり、それによって、畳が変わるわけではなく、畳の表面の態様を選択することはできなかった。
それに対して、本構成のものは、部屋の使用する用途によって、畳を簡単に入れ替え、模様替えできるのであるから、住宅における部屋の用途別個室化が進み、和室が特別な部屋として位置づけられている現代においては、和室の可能性を広げるのにきわめて有効な手段である。
【００１５】
なお、単位畳２，３の層間に有した保護層８は、積層した単位畳２，３のうちの下層の単位畳の畳表が擦られて傷つき、摩耗するのを防止するのに効果を奏する。又、その保護層８が有したクッション性は、畳１に弾力性を持たせるのに効果を奏する。
【００１６】
更に、単位畳２，３の各下面を平らにしたことや、厚さを等しくしたことで、並べた畳１に段差がより生じないようにでき、又、単位畳２，３の大きさを等しくしたことで、それらの上下を入れ替えたときの寸法の違いを生じないようにできる。加えて、単位畳２，３の厚さを１０〜３０〔ｍｍ〕と薄くしたことで、単位畳２，３が軽く、それらの上下の入れ替えが労力少なくできる。なお、単位畳２，３の形状は正方形に限られず、長方形であっても良い。
【００１７】
そのほか、単位畳２，３に取手を付設したことで、単位畳２，３の入れ替え作業が容易にできるようになり、又、配置を表す目印を単位畳２，３の裏面に付すようにしたことで、単位畳２，３を入れ替えたあとの配置を誤りなくすることが容易にできる。
【００１８】
以上に対して、図９ないし図１１は本発明の第２及び第３実施例（第２及び第３の実施形態）を示すもので、それぞれ、第１実施例と同一の部分には同一の符号を付して説明を省略し、異なる部分についてのみ述べる。
【００１９】
［第２実施例］
図９及び図１０に示す第２実施例においては、単位畳２，３の層間に、前述の保護層８に代えて、滑り止め部２１を設けている。この滑り止め部２１も、例えば畳床４，６の各下面に施した滑り止め加工２２，２３によるものであり、図示の単位畳２を上層に、単位畳３を下層に積層した状況では、単位畳２の下面の滑り止め加工２２の部分が滑り止め部２１となり、単位畳３を上層に、単位畳２を下層に積層変えした場合には、単位畳３の下面の滑り止め加工２３の部分が滑り止め部２１となる。なお、この滑り止め部２１も、畳床４，６の各下面に上述の滑り止め加工２２，２３を施すのに代えて、滑り止めシートを貼着するものであっても良い。
【００２０】
このように、単位畳２，３の層間に滑り止め部２１を設けることにより、単位畳２，３がずれるのを防止することができ、しかも、積層した単位畳２，３のうちの下層の単位畳の畳表が擦られて傷つき、摩耗するのを防止することもできる。
【００２１】
なお、単位畳２，３の層間には、上記滑り止め部２１と前記保護層８の両方を設けるようにしても良く、それらの両機能をひとつで合わせて有するものを設けるようにしても良い。
【００２２】
［第３実施例］
図１１に示す第３実施例においては、部屋１１の床１２にフレーム３１を設置して、これの内部に、規格品で寸法を一定化した畳１を敷き詰めている。
このようにすることによって、部屋１１の床１２の施工誤差に関係なく、フレーム３１で規制して、畳１の位置を自由に動かし、単位畳２，３の上下を入れ替えることによって、模様替えがより自在にできる。
【００２３】
なお、単位畳２，３間の保護層８及び滑り止め部２１は、単位畳２，３の層間に別体の保護シート、別体の滑り止めシートを挟むことで構成するようにしても良い。
又、敷設部材としては、畳１に限られず、マットであっても良い。
更に、単位敷設部材の枚数は、２枚に限られず、３枚以上あっても良い。
そのほか、本発明は上記し且つ図面に示した実施例にのみ限定されるものではなく、要旨を逸脱しない範囲内で適宜変更して実施し得る。
【図面の簡単な説明】
【００２４】
【図１】本発明の第１実施例を示す分解斜視図
【図２】図１のＡ−Ａ線に沿う、一部を省略した断面図
【図３】図１のＢ−Ｂ線に沿う、一部を省略した断面図
【図４】斜視図
【図５】用法その１を示す図
【図６】用法その２を示す図
【図７】用法その３を示す図
【図８】用法その４を示す図
【図９】本発明の第２実施例を示す図２相当図
【図１０】同第２実施例の図３相当図
【図１１】本発明の第３実施例を示す図７相当図
【符号の説明】
【００２５】
図面中、１は畳（敷設部材）、２，３は単位畳（単位敷設部材）、８は保護層、２１は滑り止め部を示す。
【図１】
2006226027.tif 000003
【図２】
2006226027.tif 000004
【図３】
2006226027.tif 000005
【図４】
2006226027.tif 000006
【図５】
2006226027.tif 000007
【図６】
2006226027.tif 000008
【図７】
2006226027.tif 000009
【図８】
2006226027.tif 000010
【図９】
2006226027.tif 000011
【図１０】
2006226027.tif 000012
【図１１】
2006226027.tif 000013